Podtech/llm-jp-corpus-v4-ja_patent huggingface dataset:
【手続補正書】
【提出日】平成30年11月1日(2018.11.1)
【手続補正１】
【補正対象書類名】特許請求の範囲
【補正対象項目名】全文
【補正方法】変更
【補正の内容】
【特許請求の範囲】
【請求項１】
療法有効量のアピリモド、またはその医薬的に許容できる塩、溶媒和物、包接化合物、水和物、もしくは多型を含む組成物であって、メラノーマの処置の必要がある対象においてメラノーマの処置をする方法において使用するための、前記組成物。
【請求項２】
アピリモドがアピリモド・ジメシレートである、請求項１に記載の組成物。
【請求項３】
組成物が経口剤形または静脈内投与に適した剤形である、請求項１または２に記載の組
成物。
【請求項４】
メラノーマがＩＩＩ期またはＩＶ期メラノーマである、請求項１〜３のいずれか１項に
記載の組成物。
【請求項５】
前記方法が、少なくとも１種類の追加の有効薬剤を投与することをさらに含む、請求項１〜４のいずれか１項に記載の組成物であって、当該少なくとも１種類の追加の有効薬剤が療法剤もしくは非療法剤、またはその組合わせであってもよい、前記組成物。
【請求項６】
少なくとも１種類の追加の有効薬剤が療法剤である、請求項５に記載の組成物であって、
当該療法剤が、プロテインキナーゼ阻害剤、白金ベースの抗新生物剤、トポイソメラーゼ阻害剤、ヌクレオシド代謝阻害剤、アルキル化剤、インターカレート剤、チューブリン結合剤、およびその組合わせから選択されてもよく、さらに、
当該療法剤が、ダカルバジン、テモゾロミド、Ｎａｂ−パクリタキセル、カルムスチン、シスプラチン、カルボプラチン、ビンブラスチン、イピリムマブ、インターロイキン−２（ＩＬ−２，Ｐｒｏｌｅｕｋｉｎ（商標））、ペンブロリズマブ（Ｋｅｙｔｒｕｄａ（商標））、アベルマブ、アテゾリズマブ（ＭＰＤＬ３２８０Ａ）、ニボルマブ（ＢＭＳ−９３６５５８）、ピジリズマブ（ＭＫ−３４７５）、ＭＳＢ００１０７１８Ｃ、ＭＥＤＩ４７３６、アダブラフェニブ（Ｔａｆｉｎｌａｒ（商標））、ベムラフェニブ（Ｚｅｌｂｏｒａｆ（商標））、トラメチニブ（Ｍｅｋｉｎｉｓｔ（商標））、ダサチニブ（Ｓｐｒｙｃｅｌ（商標））、イマチニブ（Ｇｌｅｅｖｅｃ（商標））、およびニロチニブ（Ｔａｓｉｇｎａ（商標））、ならびにその組合わせからなる群から選択されてもよく、そして
好ましくは、当該療法剤がベムラフェニブである、前記組成物。
【請求項７】
前記方法がさらに、アピリモドの１以上の副作用を改善するために選択された非療法剤を投与することを含む、請求項６に記載の組成物。
【請求項８】
少なくとも１種類の追加薬剤が、アピリモドの１以上の副作用を改善するために選択さ
れた非療法剤である、請求項５に記載の組成物。
【請求項９】
前記非療法剤が、
ａ）オンダンセトロン、グラニセトロン、ドラセトロンおよびパロノセトロンからなる群から選択されるか、又は
ａ）ピンドロールおよびリスペリドンからなる群から選択される、
請求項７又は８に記載の組成物。
【請求項１０】
アピリモド・ジメシレートと、アルキル化剤、インターカレート剤、チューブリン結合剤、およびＢＲＡＦ阻害剤のうち１種類以上とを含む、請求項１に記載の組成物であって、
当該組成物が、ダカルバジン、テモゾロミド、Ｎａｂ−パクリタキセル、カルムスチン、シスプラチン、カルボプラチン、ビンブラスチン、イピリムマブ、ペンブロリズマブ（Ｋｅｙｔｒｕｄａ（商標））、アベルマブ、アテゾリズマブ（ＭＰＤＬ３２８０Ａ）、ニボルマブ（ＢＭＳ−９３６５５８）、ピジリズマブ（ＭＫ−３４７５）、ＭＳＢ００１０７１８Ｃ、ＭＥＤＩ４７３６、インターロイキン−２（ＩＬ−２，Ｐｒｏｌｅｕｋｉｎ（商標））、ダブラフェニブ（Ｔａｆｉｎｌａｒ（商標））、ベムラフェニブ（Ｚｅｌｂｏｒａｆ（商標））、トラメチニブ（Ｍｅｋｉｎｉｓｔ（商標））、ダサチニブ（Ｓｐｒｙｃｅｌ（商標））、イマチニブ（Ｇｌｅｅｖｅｃ（商標））、およびニロチニブ（Ｔａｓｉｇｎａ（商標））のうち１種類以上を含んでもよく、そして
当該組成物がベムラフェニブを含んでもよい、前記組成物。
【請求項１１】
組成物がさらに、オンダンセトロン、グラニセトロン、ドラセトロン、パロノセトロン
、ピンドロールおよびリスペリドンのうち１種類以上を含む、請求項９に記載の組成物。
【請求項１２】
癌が悪性または転移性メラノーマである、請求項１〜１１のいずれか１項に記載の組成
物。
【請求項１３】
アピリモドおよびベムラフェニブを含む併用療法で処置するためのヒトメラノーマ患者
を同定するための方法であって、対象の癌の生体試料をＶ６００Ｅ  ＢＲＡＦタンパク質
変異、Ｖ６００Ｋ  ＢＲＡＦタンパク質変異、またはその遺伝学的同等物のうち１以上に
ついてアッセイし、その際、これらの変異のいずれかを有する対象をアピリモドおよびベ
ムラフェニブを含む併用療法で処置するための患者と同定することを含む、前記方法。
【手続補正書】
【提出日】平成30年8月24日(2018.8.24)
【手続補正１】
【補正対象書類名】特許請求の範囲
【補正対象項目名】全文
【補正方法】変更
【補正の内容】
【特許請求の範囲】
【請求項１】
無線電力伝達システムにおいて無線場のリーク磁束を集めるための装置であって、
無線電力送電機によって生成された無線場に結合するための手段であって、前記無線場の一部分が前記リーク磁束を含む、手段と、
電気車両の外縁から離れる前記リーク磁束の少なくとも一部分を吸収または方向変換するための手段と
を備え、
前記結合手段が無線電力受電機を含み、
前記リーク磁束の少なくとも一部分を吸収または方向変換するための前記手段が、強磁性体を含むリークコネクタであって前記無線場内で前記無線電力受電機から第1の距離に位置するリークコレクタを含む、装置。
【請求項２】
前記リーク磁束の少なくとも一部分を吸収または方向変換するための前記手段が、前記電気車両のほぼ外縁において前記電気車両の底部分に配置され、前記リーク磁束の少なくとも一部分を吸収または方向変換するための前記手段が、実質的に水平な面において前記結合手段を少なくとも部分的に囲むか、または、
前記リーク磁束の少なくとも一部分を吸収または方向変換するための前記手段が、前記電気車両の底部分に配置され前記結合手段を完全に囲むか、または、
前記リーク磁束の少なくとも一部分を吸収または方向変換するための前記手段が、正方形、長方形、円、三角形、多角形、または半円のうちの1つに整形され、前記リーク磁束の少なくとも一部分を吸収または方向変換するための前記手段の外周が、前記結合手段の下方で前記電気車両の底部から離れるように延在するか、または、
前記リーク磁束の少なくとも一部分を吸収または方向変換するための前記手段が、前記リーク磁束を吸収または方向変換するのに十分な透磁率の値を有する、請求項1に記載の装置。
【請求項３】
前記電気車両の底部分に配置された磁気車両シールドをさらに備え、前記結合手段および前記リーク磁束の少なくとも一部分を吸収または方向変換するための前記手段が、前記磁気車両シールドの下方に位置する、請求項1に記載の装置。
【請求項４】
前記リーク磁束の少なくとも一部分を吸収または方向変換するための前記手段が、前記結合手段の外周よりも大きい外周を有し、前記リーク磁束の少なくとも一部分を吸収または方向変換するための前記手段が、前記リーク磁束を吸収または方向変換するのに十分な比透磁率の値を有する、請求項1に記載の装置。
【請求項５】
前記比透磁率がμr=10よりも大きい、請求項4に記載の装置。
【請求項６】
請求項1から5のいずれか一項に記載の装置であって、
前記結合するための手段が、無線電力送電機によって生成された無線場に結合するように構成された無線電力受電機であって、前記無線場の一部分が前記リーク磁束を含む、無線電力受電機を備え、
前記吸収または方向変換するための手段が、強磁性体を含むとともに電気車両の外縁から離れる前記リーク磁束の少なくとも一部分を吸収または方向変換するように構成されたリークコレクタであって、前記無線場内で前記無線電力受電機から第1の距離に位置するリークコレクタを備える、装置。
【請求項７】
前記強磁性体が、前記リーク磁束を吸収または方向変換するのに十分な透磁率の値を有する、請求項6に記載の装置。
【請求項８】
前記強磁性体が、軟磁性複合体、ナノ結晶磁性体、またはプラスチック接合フェライト粉末のうちの1つを含む、請求項7に記載の装置。
【請求項９】
前記リークコレクタが、前記リーク場に影響を及ぼすように構成された断面を有し、前記断面が、前記車両の底部から離れるように直角に延在する寸法を有するか、または、
前記第1の距離が、前記無線電力受電機と前記電気車両の前記外縁との間の距離の少なくとも1/2に等しい、請求項6に記載の装置。
【請求項１０】
無線電力伝達システムにおいて無線場のリーク磁束を集めるための方法であって、
無線電力送電機によって生成された前記無線場に無線電力受電機を介して結合するステップであって、前記無線場の一部分が前記リーク磁束を含む、ステップと、
電気車両の外縁から離れる前記リーク磁束の少なくとも一部分をリークコレクタを介して吸収または方向変換するステップであって、前記リークコレクタが、強磁性体を含むとともに前記無線場内で無線電力受電機から第1の距離に位置する、ステップと
を含む方法。
【請求項１１】
前記方法が、前記リークコレクタを使用して、前記無線電力場から前記リーク磁束を実質的に除去するステップをさらに含むか、または、
前記リークコレクタが、前記電気車両のほぼ外縁において前記電気車両の底部分に配置され、前記リークコレクタが、実質的に水平な面において前記無線電力受電機を少なくとも部分的に囲むか、または、
磁気車両シールドが、前記電気車両の底部分に配置され、前記無線電力受電機および前記リークコレクタが、前記磁気車両シールドの下方に位置するか、または、
前記リークコレクタが、前記電気車両の底部分に配置され前記無線電力受電機を完全に囲むか、または、
前記リークコレクタが、正方形、長方形、円、三角形、多角形、または半円のうちの1つに整形され、前記リークコレクタの外周が、前記無線電力受電機の下方で前記電気車両の底部から離れるように延在する、請求項10に記載の方法。
【請求項１２】
前記リークコレクタが、前記無線電力受電機の外周よりも大きい外周を有し、前記リークコレクタが、前記リーク磁束を吸収または方向変換するのに十分な比透磁率の値を有する、請求項10に記載の方法。
【請求項１３】
前記比透磁率がμr=10よりも大きい、請求項12に記載の方法。
【請求項１４】
前記強磁性体が、前記リーク磁束を吸収または方向変換するのに十分な透磁率の値を有する、請求項10に記載の方法。
【請求項１５】
前記強磁性体が、軟磁性複合体、ナノ結晶磁性体、およびプラスチック接合フェライト粉末のうちの1つを含む、請求項14に記載の方法。
【手続補正書】
【提出日】平成30年9月12日(2018.9.12)
【手続補正１】
【補正対象書類名】特許請求の範囲
【補正対象項目名】全文
【補正方法】変更
【補正の内容】
【特許請求の範囲】
【請求項１】
２つの逆方向末端反復（ＩＴＲ）の間に位置する核酸配列を含むアデノ随伴ウイルス（ＡＡＶ）ベクターであって、前記核酸配列は、それが発現した場合に、細胞中のＳＯＤ１の遺伝子発現を阻害または抑制し、前記核酸配列は、センス鎖配列およびアンチセンス鎖配列を含み、前記センス鎖配列は、表３、表１１または表１４に列挙された配列のヌクレオチド配列と３ヌクレオチド以下で異なる少なくとも１５個の連続したヌクレオチドを含み、前記アンチセンス鎖配列は、表３、表１１または表１４に列挙された配列のヌクレオチド配列と３ヌクレオチド以下で異なる少なくとも１５個の連続したヌクレオチドを含み、前記センス鎖配列およびアンチセンス鎖配列は、少なくとも４ヌクレオチド長の相補性領域を共有する、アデノ随伴ウイルス（ＡＡＶ）ベクター。
【請求項２】
前記核酸配列が、ｓｉＲＮＡ二本鎖のセンス鎖配列およびアンチセンス鎖配列を含む、請求項１に記載のＡＡＶベクター。
【請求項３】
前記ｓｉＲＮＡ二本鎖が、ｓｉＲＮＡ二本鎖ＩＤ番号Ｄ−２７４１〜ＩＤ番号Ｄ−２９８５からなる群から選択される、請求項２に記載のＡＡＶベクター。
【請求項４】
前記ｓｉＲＮＡ二本鎖が、ｓｉＲＮＡ  ＩＤ：Ｄ−２７５７、Ｄ−２８０６、Ｄ−２８６０、Ｄ−２８６１、Ｄ−２８７５、Ｄ−２８７１、Ｄ−２７５８、Ｄ−２７５９、Ｄ−２８６６、Ｄ−２８７０、Ｄ−２８２３、およびＤ−２８５８の核酸配列からなる群から選択される、請求項２に記載のＡＡＶベクター。
【請求項５】
前記相補性領域が少なくとも１７ヌクレオチドの長さである、請求項１に記載のＡＡＶベクター。
【請求項６】
前記相補性領域が１９から２１ヌクレオチドの長さである、請求項５に記載のＡＡＶベクター。
【請求項７】
前記相補性領域が１９ヌクレオチドの長さである、請求項６に記載のＡＡＶベクター。
【請求項８】
前記センス鎖配列およびアンチセンス鎖配列が、独立して、３０ヌクレオチド以下である、請求項１に記載のＡＡＶベクター。
【請求項９】
前記センス鎖配列およびアンチセンス鎖配列の少なくとも１つが、少なくとも１ヌクレオチドの３’オーバーハングを含む、請求項１に記載のＡＡＶベクター。
【請求項１０】
前記センス鎖配列およびアンチセンス鎖配列の少なくとも１つが、少なくとも２ヌクレオチドの３’オーバーハングを含む、請求項９に記載のＡＡＶベクター。
【請求項１１】
前記ＡＡＶベクターが、ＡＡＶ１、ＡＡＶ２、ＡＡＶ３、ＡＡＶ４、ＡＡＶ５、ＡＡＶ６、ＡＡＶ７、ＡＡＶ８、ＡＡＶ９、ＡＡＶ９．４７、ＡＡＶ９（ｈｕ１４）、ＡＡＶ１０、ＡＡＶ１１、ＡＡＶ１２、ＡＡＶｒｈ８、ＡＡＶｒｈ１０、ＡＡＶ−ＤＪ８およびＡＡＶ−ＤＪおよびそれらの変異体からなる群から選択されるキャプシド血清型を含む、請求項１に記載のＡＡＶベクター。
【請求項１２】
細胞中のＳＯＤ１遺伝子の発現を阻害するための組成物であって、請求項１〜１１のいずれか一項に記載のＡＡＶベクターを含む組成物。
【請求項１３】
前記細胞が哺乳動物細胞である、請求項１２に記載の組成物。
【請求項１４】
前記哺乳動物細胞が運動ニューロンである、請求項１３に記載の組成物。
【請求項１５】
前記哺乳動物細胞が星状細胞である、請求項１３に記載の組成物。
【請求項１６】
治療を必要とする対象における筋萎縮性側索硬化症（ＡＬＳ）の治療および改善の少なくとも一方を行うための組成物であって、請求項１〜１１のいずれか一項に記載のＡＡＶベクターを含む組成物。
【請求項１７】
前記ＳＯＤ１の発現が阻害または抑制される、請求項１６に記載の組成物。
【請求項１８】
前記ＳＯＤ１が野生型ＳＯＤ１、少なくとも１つの突然変異を有する突然変異ＳＯＤ１、または野生型ＳＯＤ１および少なくとも１つの突然変異を有する突然変異ＳＯＤ１である、請求項１７に記載の組成物。
【請求項１９】
前記ＳＯＤ１の発現が、２０％〜１００％阻害または抑制される、請求項１６に記載の組成物。
【請求項２０】
前記ＡＬＳが、同定されたＳＯＤ１遺伝子突然変異を有する家族性ＡＬＳである、請求項１６に記載の組成物。
【請求項２１】
前記ＡＬＳが散発性ＡＬＳである、請求項１６に記載の組成物。
【請求項２２】
ＳＯＤ１遺伝子が細胞内で機能効果をもたらす変異を含む細胞におけるＳＯＤ１遺伝子の発現を抑制するための組成物であって、請求項１〜１１のいずれか一項に記載のＡＡＶベクターを含む組成物。
【請求項２３】
前記細胞が哺乳動物細胞である、請求項２２に記載の組成物。
【請求項２４】
前記哺乳動物細胞が運動ニューロンである、請求項２３に記載の組成物。
【請求項２５】
前記哺乳動物細胞が星状細胞である、請求項２３に記載の組成物。
【手続補正書】
【提出日】平成30年10月1日(2018.10.1)
【手続補正１】
【補正対象書類名】特許請求の範囲
【補正対象項目名】全文
【補正方法】変更
【補正の内容】
【特許請求の範囲】
【請求項１】
甘味量の、レバウジオシドＭ、レバウジオシドＶ、レバウジオシドＷ、レバウジオシドＫＡ、およびレバウジオシドＧからなる群から選択される甘味料を含む経口摂取可能製品であって、飲料製品および摂取可能製品からなる群から選択される、経口摂取可能製品。
【請求項２】
前記甘味料を約５ｐｐｍ〜約１００ｐｐｍ含む、請求項１に記載の経口摂取可能製品。
【請求項３】
前記甘味料が唯一の甘味料である、請求項１または２に記載の経口摂取可能製品。
【請求項４】
前記経口摂取可能製品が、約１％（ｗ／ｖ−％）〜約４％（ｗ／ｖ−％）のスクロース溶液に等しい甘味度を有する、請求項１〜３のいずれか１項に記載の経口摂取可能製品。
【請求項５】
少なくとも１つの追加的な甘味料をさらに含む、請求項１または２に記載の経口摂取可能製品。
【請求項６】
前記少なくとも１つの追加的な甘味料が、ステビア抽出物、ステビオール配糖体、ステビオシド、レバウジオシドＡ、レバウジオシドＢ、レバウジオシドＣ、レバウジオシドＤ、レバウジオシドＥ、レバウジオシドＦ、ズルコシドＡ、ルブソシド、ステビオールビオシド、スクロース、高フルクトースコーンシロップ、フルクトース、グルコース、キシロース、アラビノース、ラムノース、エリスリトール、キシリトール、マンニトール、ソルビトール、イノシトール、ＡｃｅＫ、アスパルテーム、ネオテーム、スクラロース、サッカリン、ナリンギンジヒドロカルコン（ＮａｒＤＨＣ）、ネオヘスペリジンジヒドロカルコン（ＮＤＨＣ）、ルブソシド、モグロシドＩＶ、シアメノシドＩ、モグロシドＶ、モナチン、タウマチン、モネリン、ブラゼイン、Ｌ−アラニン、グリシン、羅漢果、ヘルナンズルチン、フィロズルチン、トリロブタイン、およびそれらの組み合わせからなる群から選択される、請求項５に記載の経口摂取可能製品。
【請求項７】
炭水化物、ポリオール、アミノ酸またはその塩、ポリアミノ酸またはその塩、糖酸またはその塩、ヌクレオチド、有機酸、無機酸、有機塩、有機酸塩、有機塩基塩、無機塩、苦味化合物、着香剤、香味成分、収斂化合物、タンパク質、タンパク質加水分解物、界面活性剤、乳化剤、フラボノイド、アルコール、ポリマー、およびそれらの組み合わせからなる群から選択される少なくとも１つの添加剤をさらに含む、請求項１〜６のいずれか１項に記載の経口摂取可能製品。
【請求項８】
前記摂取可能製品が、食品、栄養補助食品、医薬品、健康補助食品、歯科用衛生学的組成物、可食ゲル組成物、化粧品および卓上用香味料からなる群から選択されるか、または前記飲料製品が、炭酸飲料製品および非炭酸飲料製品からなる群から選択される、請求項１〜７のいずれか１項に記載の経口摂取可能製品。
【請求項９】
製品の甘味を増強させる方法であって、
レバウジオシドＭ、レバウジオシドＶ、レバウジオシドＷ、レバウジオシドＫＡ、およびレバウジオシドＧからなる群から選択される甘味料約５ｐｐｍ〜約１００ｐｐｍを、飲料製品および摂取可能製品からなる群から選択される製品に添加することを含み、前記甘味料が、前記甘味料を含まない対応する製品と比較して前記製品の甘味を増強させる、方法。
【請求項１０】
前記甘味料が唯一の甘味料であり、前記製品が約１％（ｗ／ｖ−％）〜約４％（ｗ／ｖ−％）のスクロース溶液に等しい甘味度を有する、請求項９に記載の方法。
【請求項１１】
追加的な甘味料を添加することをさらに含み、前記製品が約１％（ｗ／ｖ−％）〜約１０％（ｗ／ｖ−％）のスクロース溶液に等しい甘味度を有する、請求項９に記載の方法。
【請求項１２】
甘味付けした製品を調製する方法であって、飲料製品および摂取可能な製品からなる群から選択される製品を準備することと、レバウジオシドＭ、レバウジオシドＶ、レバウジオシドＷ、レバウジオシドＫＡ、およびレバウジオシドＧからなる群から選択される甘味料約５ｐｐｍ〜約１００ｐｐｍを、前記製品に添加することを含む、方法。
【請求項１３】
炭水化物、ポリオール、アミノ酸またはその塩、ポリアミノ酸またはその塩、糖酸またはその塩、ヌクレオチド、有機酸、無機酸、有機塩、有機酸塩、有機塩基塩、無機塩、苦味化合物、着香剤、香味成分、収斂化合物、タンパク質、タンパク質加水分解物、界面活性剤、乳化剤、フラボノイド、アルコール、ポリマー、およびそれらの組み合わせからなる群から選択される少なくとも１つの添加剤を前記製品に添加することをさらに含む、請求項１２に記載の方法。
【請求項１４】
少なくとも１つの追加的な甘味料を添加することをさらに含む、請求項１２または１３に記載の方法。
【請求項１５】
前記少なくとも１つの追加的な甘味料が、ステビア抽出物、ステビオール配糖体、ステビオシド、レバウジオシドＡ、レバウジオシドＢ、レバウジオシドＣ、レバウジオシドＤ、レバウジオシドＥ、レバウジオシドＦ、ズルコシドＡ、ルブソシド、ステビオールビオシド、スクロース、高フルクトースコーンシロップ、フルクトース、グルコース、キシロース、アラビノース、ラムノース、エリスリトール、キシリトール、マンニトール、ソルビトール、イノシトール、ＡｃｅＫ、アスパルテーム、ネオテーム、スクラロース、サッカリン、ナリンギンジヒドロカルコン（ＮａｒＤＨＣ）、ネオヘスペリジンジヒドロカルコン（ＮＤＨＣ）、ルブソシド、モグロシドＩＶ、シアメノシドＩ、モグロシドＶ、モナチン、タウマチン、モネリン、ブラゼイン、Ｌ−アラニン、グリシン、羅漢果、ヘルナンズルチン、フィロズルチン、トリロブタイン、およびそれらの組み合わせからなる群から選択される、請求項１４に記載の方法。
【手続補正書】
【提出日】平成30年8月1日(2018.8.1)
【手続補正１】
【補正対象書類名】特許請求の範囲
【補正対象項目名】請求項１７
【補正方法】変更
【補正の内容】
【請求項１７】
前記ユーザ定義シーンが最後のメディアクエリを格納し、前記ホームオートメーションシステムの前記複数の異なるタイプの装置により提供される前記複数のサービスを制御することが、
該格納された最後のメディアクエリについての要求を発行してオーディオ又はビデオコンテンツを再生させること
を含む、請求項１に記載の方法。
【手続補正書】
【提出日】平成30年7月13日(2018.7.13)
【手続補正１】
【補正対象書類名】特許請求の範囲
【補正対象項目名】全文
【補正方法】変更
【補正の内容】
【特許請求の範囲】
【請求項１】
デジタルペンと電子デバイスとを含む電子システムであって、
前記デジタルペンは、
紙に手書き入力するための第１の手書き部と、
誘導磁界を発生するための第２の手書き部と、を含み、
前記電子デバイスは、
センサ部であって、前記紙が前記センサ部上に配置される、センサ部と、
通信部と、
保存部と、
前記第２の手書き部によって発生された前記誘導磁界を検知する前記センサ部に基づいて、前記センサ部によって検知された前記誘導磁界に対応する手書き情報を取得し、および
前記通信部が前記手書き情報を外部のディスプレイ装置に伝送するように制御するように構成された、
制御部と、を含む、
電子システム。
【請求項２】
前記手書き情報は、前記手書きとは異なる大きさで前記外部のディスプレイ装置に表示される、請求項１に記載の電子システム。
【請求項３】
前記手書き情報が前記外部のディスプレイ装置に伝送されることに応答して、前記手書き情報の受信を示すためのガイドメッセージが前記外部のディスプレイ装置に表示される、請求項１または２に記載の電子システム。
【請求項４】
前記手書きが前記第１の手書き部を使用することによって前記紙に入力されている間、前記手書き情報は、生成および保存される、請求項１に記載の電子システム。
【請求項５】
前記手書き情報は、前記手書きに対応する手書き内容および前記手書きの保存時点の情報を含む、請求項４に記載の電子システム。
【請求項６】
前記制御部は、前記手書きが前記第１の手書き部によって入力されている間、前記通信部を介して前記外部のディスプレイ装置に前記手書き情報をリアルタイムで伝送するようにさらに構成される、請求項１に記載の電子システム。
【請求項７】
前記手書き情報は、所定の色で前記外部のディスプレイ装置に表示される、請求項１に記載の電子システム。
【請求項８】
前記電子デバイスから伝送された磁界に応答して、前記第２の手書き部は、誘導磁界を生成し、および前記センサ部は、前記第２の手書き部によって生成された前記誘導磁界に基づいて、前記紙への手書き入力を検知する、請求項１に記載の電子システム。
【請求項９】
前記デジタルペンは、前記デジタルペンの先部分に適用された圧を検知するための感圧センサをさらに含み、
前記第２の手書き部は、前記感圧センサが前記デジタルペンの前記先部分に適用された圧を検知することに基づいて、誘導磁界を生成する、
請求項１に記載の電子システム。
【請求項１０】
前記第２の手書き部は、共振回路を含み、
前記デジタルペンは、前記感圧センサが前記デジタルペンの前記先部分に適用された圧を検知することに応答して、前記共振回路に電流を印可するように構成され、それによって前記共振回路は誘導磁界を生成する、
請求項９に記載の電子システム。
【請求項１１】
前記電子デバイスは、ディスプレイを含まない、請求項１に記載の電子システム。
【請求項１２】
物理的ボタンをさらに含む電子システムであって、
前記制御部は、前記物理的ボタンの選択に基づいて、前記通信部が前記手書き情報を前記外部のディスプレイ装置に伝送するように制御する、
請求項１に記載の電子システム。
【請求項１３】
前記制御部は、前記感圧センサが前記デジタルペンの前記先部分と前記紙との間の接触を検知することに基づいて、手書きが前記第１の手書き部によって前記紙に入力されている間、前記紙への前記手書き入力に対応する手書き情報を取得する、請求項９に記載の電子システム。
【手続補正書】
【提出日】平成30年10月25日(2018.10.25)
【手続補正１】
【補正対象書類名】特許請求の範囲
【補正対象項目名】全文
【補正方法】変更
【補正の内容】
【特許請求の範囲】
【請求項１】
ＪＳＯＮデータを変換するための方法であって、前記方法は、
JavaScriptオブジェクト表記法を使用して特定された第１のオブジェクトをコンピュータで受信するステップを含み、前記第１のオブジェクトは一組の１つ以上の属性を有し、
各属性は予め定められたＪＳＯＮデータタイプのもので、少なくとも１つの値を有し、前記方法はさらに、
JavaScriptオブジェクト表記法を使用して特定された第２のオブジェクトを前記コンピュータで受信するステップを含み、前記第２のオブジェクトは一組の１つ以上の属性を有し、各属性は前記第１のオブジェクトの前記一組の属性のうちの少なくとも１つの属性に対応しており、１つ以上の変換を定義する少なくとも１つの値を有し、前記方法はさらに、
前記第１のオブジェクトを、前記第２のオブジェクトに基づいて、JavaScriptオブジェクト表記法を使用して特定された第３のオブジェクトに、前記コンピュータによって変換するステップと、
前記コンピュータに関連付けられた記憶装置に前記第３のオブジェクトを格納するステップとを含む、方法。
【請求項２】
前記第２のオブジェクトを前記コンピュータで受信するステップは、名前が前記第１のオブジェクトの属性の名前に対応している属性を有する、JavaScriptオブジェクト表記法を使用して特定されたオブジェクトを受信するステップを含む、請求項１に記載の方法。
【請求項３】
名前が前記第１のオブジェクトの属性の名前に対応している属性を有する前記オブジェクトを受信するステップは、前記第１のオブジェクトの属性と同じ名前を有するとして属性を受信するステップを含む、請求項２に記載の方法。
【請求項４】
名前が前記第１のオブジェクトの属性の名前に対応している属性を有する前記オブジェクトを受信するステップは、前記第１のオブジェクトの属性の名前を参照する値を有するとして属性を受信するステップを含む、請求項２に記載の方法。
【請求項５】
前記第２のオブジェクトを前記コンピュータで受信するステップは、前記第１のオブジェクトの属性の名前または前記第１のオブジェクトの属性の値のいずれかに適用されるべき演算を特定する値を有する、JavaScriptオブジェクト表記法を使用して特定されたオブジェクトの属性を受信するステップを含む、請求項１〜４のいずれかに記載の方法。
【請求項６】
前記第２のオブジェクトを前記コンピュータで受信するステップは、前記第１のオブジェクトの属性の変換に対応する前記第３のオブジェクトの属性のデータタイプを特定する値を有する、JavaScriptオブジェクト表記法を使用して特定されたオブジェクトの属性を受信するステップを含む、請求項１〜５のいずれかに記載の方法。
【請求項７】
前記第２のオブジェクトを前記コンピュータで受信するステップは、前記第１のオブジェクトの１つ以上の属性の修正を特定する値を有する、JavaScriptオブジェクト表記法を使用して特定されたオブジェクトの属性を受信するステップを含む、請求項１〜６のいずれかに記載の方法。
【請求項８】
前記第２のオブジェクトを前記コンピュータで受信するステップは、前記１つ以上の変換が前記第１のオブジェクトに適用可能かどうかを定義する１つ以上のテストを定義する値を有する、JavaScriptオブジェクト表記法を使用して特定されたオブジェクトの属性を受信するステップを含む、請求項１〜７のいずれかに記載の方法。
【請求項９】
前記１つ以上のテストは、前記第１のオブジェクトの１つ以上の属性に対して定義される、請求項８に記載の方法。
【請求項１０】
前記１つ以上のテストの肯定的評価を前記コンピュータによって判断するステップと、
前記１つ以上のテストの肯定的評価に基づいて、前記１つ以上の変換を、前記コンピュータによって行なうステップとをさらに含む、請求項８に記載の方法。
【請求項１１】
前記１つ以上の変換を前記コンピュータによって行なうステップは、前記第１のオブジェクトの属性の名前を変更するステップ、前記第１のオブジェクトの属性の値に対して１つ以上の数値演算を行なうステップ、前記第１のオブジェクトの属性の値に対して１つ以上の文字列演算を行なうステップ、オブジェクトでもある前記第１のオブジェクトの属性に１つ以上の属性を追加するステップ、または、オブジェクトでもある前記第１のオブジェクトの属性から１つ以上の属性を除去するステップを含む、請求項１０に記載の方法。
【請求項１２】
請求項１〜１１のいずれかに記載の方法をコンピュータに実行させる、プログラム。
【請求項１３】
請求項１２に記載のプログラムを格納したメモリと、
前記メモリに接続され、前記プログラムを実行するためのプロセッサとを備える、システム。
【手続補正書】
【提出日】平成30年7月27日(2018.7.27)
【手続補正１】
【補正対象書類名】特許請求の範囲
【補正対象項目名】全文
【補正方法】変更
【補正の内容】
【特許請求の範囲】
【請求項１】
映像平面に表示される画像に関連する嗜好情報を受信することと、
前記嗜好情報に基づいて、少なくとも１つのセグメント化および識別されたオブジェクトの関連性データを生成することと、
関連する外観面に関する様々なオブジェクトのレンダリングを調整することと、
前記関連性データに基づいて少なくとも２つの平面のうちの１つに画像データを表示することと
を含む、方法。
【請求項２】
前記表示することが三次元またはバーチャルリアリティ空間で起こる、請求項１に記載の方法。
【請求項３】
ユーザ入力および格納されたプロファイル情報の少なくとも１つに応答して、格納された参照情報を構成することを含む、請求項１に記載の方法。
【請求項４】
ユーザ入力として検索クエリを受信することを含む、請求項３に記載の方法。
【請求項５】
少なくとも１つのユーザ入力および格納されたプロファイル情報を組み合わせることによって、前記嗜好情報を構成することを含む、請求項３に記載の方法。
【請求項６】
前記少なくとも１つのオブジェクトが、入力された映像データに含まれるオブジェクトのデータベースによって識別されている、請求項１に記載の方法。
【請求項７】
前記セグメント化されている少なくとも１つのオブジェクトが、エッジ検出プロセスを使用してセグメント化される、請求項１に記載の方法。
【請求項８】
前記嗜好情報が、ユーザが前記表示を通じてオブジェクトの平面を変更することによって修正される、請求項１に記載の方法。
【請求項９】
映像平面に表示される画像に関連する嗜好情報を受信し、かつ前記嗜好情報に基づいて、入力された映像データからセグメント化および識別された少なくとも１つのオブジェクトの関連性データを生成するように構成されたプロセッサと、
前記関連性データを受信し、かつ前記関連性データに基づいて少なくとも２つの平面のうちの１つに前記画像データを表示するためのデータを生成するディスプレイプロセッサと
を含み、
前記プロセッサは、関連する外観面に関する様々なオブジェクトのレンダリングを調整するように更に構成された、装置。
【請求項１０】
前記ディスプレイプロセッサが、三次元またはバーチャルリアリティ空間において少なくとも２つの平面のうちの１つに前記画像データを表示するためのデータを生成する、請求項９に記載の装置。
【請求項１１】
前記嗜好情報が、ユーザ入力および格納されたプロファイル情報の少なくとも１つに基づく、請求項９に記載の装置。
【請求項１２】
前記ユーザ入力が検索クエリである、請求項１１に記載の装置。
【請求項１３】
前記嗜好情報が、少なくとも１つのユーザ入力および格納された嗜好情報の組合せである、請求項１１に記載の装置。
【請求項１４】
前記少なくとも１つのオブジェクトが、前記入力された映像データに含まれるオブジェクトのデータベースによって識別されている、請求項１１に記載の装置。
【請求項１５】
前記セグメント化されている少なくとも１つのオブジェクトが、エッジ検出プロセスを使用してセグメント化される、請求項１１に記載の装置。
【請求項１６】
前記嗜好情報が、ユーザが前記表示を通じてオブジェクトの平面を変更することによって修正される、請求項１１に記載の装置。
【手続補正２】
【補正対象書類名】明細書
【補正対象項目名】００４３
【補正方法】変更
【補正の内容】
【００４３】
本明細書では、添付の図面を参照して例示的な実施形態について説明してきたが、本原理はそれらの正確な実施形態に限定されるわけではなく、本原理の範囲から逸脱することなく、当業者によってその中で様々な変化形態および変更形態がなされ得ることを理解されたい。そのような変化形態および変更形態はすべて、添付の請求項に記載されるように、本原理の範囲内に含まれることが意図される。
上記実施形態の一部又は全部は、以下の付記のようにも記載されうるが、以下には限られない。
（付記１）
嗜好情報を受信するステップと、
前記嗜好情報に基づいて、少なくとも１つのセグメント化および識別されたオブジェクトの関連性データを生成するステップと、
前記関連性データに基づいて少なくとも２つの平面のうちの１つに画像データを表示するステップと
を含む、方法。
（付記２）
前記表示するステップが三次元またはバーチャルリアリティ空間で起こる、付記１に記載の方法。
（付記３）
ユーザ入力および格納されたプロファイル情報の少なくとも１つに応答して、格納された参照情報を構成するステップを含む、付記１に記載の方法。
（付記４）
ユーザ入力として検索クエリを受信するステップを含む、付記３に記載の方法。
（付記５）
少なくとも１つのユーザ入力および格納されたプロファイル情報を組み合わせることによって、前記嗜好情報を構成するステップを含む、付記３に記載の方法。
（付記６）
前記少なくとも１つのオブジェクトが、前記入力された映像データに含まれるオブジェクトのデータベースによって識別されている、付記１に記載の方法。
（付記７）
前記セグメント化されている少なくとも１つのオブジェクトが、エッジ検出プロセスを使用してセグメント化される、付記１に記載の方法。
（付記８）
前記嗜好情報が、ユーザが前記表示を通じてオブジェクトの平面を変更することによって修正される、付記１に記載の方法。
（付記９）
嗜好情報を受信し、かつ前記嗜好情報に基づいて、入力された映像データからセグメント化および識別された少なくとも１つのオブジェクトの関連性データを生成するように構成されたプロセッサと、
前記関連性データを受信し、かつ前記関連性データに基づいて少なくとも２つの平面のうちの１つに前記画像データを表示するためのデータを生成するディスプレイプロセッサと
を含む、装置。
（付記１０）
前記ディスプレイプロセッサが、三次元またはバーチャルリアリティ空間において少なくとも２つの平面のうちの１つに前記画像データを表示するためのデータを生成する、付記９に記載の装置。
（付記１１）
前記嗜好情報が、ユーザ入力および格納されたプロファイル情報の少なくとも１つに基づく、付記９に記載の装置。
（付記１２）
前記ユーザ入力が検索クエリである、付記１１に記載の装置。
（付記１３）
前記嗜好情報が、少なくとも１つのユーザ入力および格納された嗜好情報の組合せである、付記１１に記載の装置。
（付記１４）
前記少なくとも１つのオブジェクトが、前記入力された映像データに含まれるオブジェクトのデータベースによって識別されている、付記１１に記載の装置。
（付記１５）
前記セグメント化されている少なくとも１つのオブジェクトが、エッジ検出プロセスを使用してセグメント化される、付記１１に記載の装置。
（付記１６）
前記嗜好情報が、ユーザが前記表示を通じてオブジェクトの平面を変更することによって修正される、付記１１に記載の装置。
【手続補正書】
【提出日】平成30年10月9日(2018.10.9)
【手続補正１】
【補正対象書類名】特許請求の範囲
【補正対象項目名】全文
【補正方法】変更
【補正の内容】
【特許請求の範囲】
【請求項１】
システムオンチップ(SOC)の異なるモジュールに提供される電圧をスケーリングするための方法であって、
前記SOCのエネルギーパフォーマンスエンジンにおいて、前記SOCの第1のモジュールに関する使用履歴の第1の通知と、前記SOCの第2のモジュールに関する使用履歴の第2の通知とを受信するステップと、
前記SOCのバッテリに関する残りのバッテリ寿命を示すバッテリ寿命通知を受信するステップと、
前記第1の通知と、前記第2の通知と、前記バッテリ寿命通知とに基づいて、前記SOCの前記第1のモジュールに提供される第1の電源電圧を調整することを決定するステップと、
前記第1のモジュールの1つまたは複数のトランジスタ特性を示す記憶された情報に基づいて、前記第1の電源電圧を増加または減少させる量を決定するステップであって、前記第1のモジュールの前記1つまたは複数のトランジスタ特性が、前記第1のモジュールのトランジスタのチャネル長を含む、ステップと、
前記第1の通知と、前記第2の通知と、前記バッテリ寿命通知とに基づいて、前記SOCの前記第2のモジュールに提供される第2の電源電圧を調整するステップと
を備える、方法。
【請求項２】
前記残りのバッテリ寿命がしきい値未満であるかどうかを決定するステップをさらに備え、前記残りのバッテリ寿命が前記しきい値未満であるとの決定に応答して、前記第1の電源電圧および前記第2の電源電圧が調整される、請求項1に記載の方法。
【請求項３】
前記第1の電源電圧を調整することを決定するステップが、
前記第1の通知および前記第2の通知が、前記第1のモジュールが前記第2のモジュールよりも低い消費電力を有することを示す場合、前記第1の電源電圧を低下させることを決定するステップと、
前記第1の通知および前記第2の通知が、前記第1のモジュールが前記第2のモジュールよりも高い消費電力を有することを示す場合、前記第1の電源電圧を上昇させることを決定するステップと
を備える、請求項1に記載の方法。
【請求項４】
前記第2の電源電圧を調整するステップが、
前記第1の通知および前記第2の通知が、前記第2のモジュールが前記第1のモジュールよりも低い消費電力を有することを示す場合、前記第2の電源電圧を低下させるステップと、
前記第1の通知および前記第2の通知が、前記第2のモジュールが前記第1のモジュールよりも高い消費電力を有することを示す場合、前記第2の電源電圧を上昇させるステップと
を備える、請求項1に記載の方法。
【請求項５】
前記第1の電源電圧を調整するステップをさらに備え、前記第1の電源電圧を調整するステップが、前記第1の電源電圧を調整するように電圧レギュレータに命令するステップを備え、前記第2の電源電圧を調整するステップが、前記第2の電源電圧を調整するように前記電圧レギュレータに命令するステップを備える、請求項1に記載の方法。
【請求項６】
前記SOCの第3のモジュールに関する使用履歴の第3の通知を受信するステップと、
前記第1の通知と、前記第2の通知と、前記第3の通知とに基づいて、前記SOCの前記第3のモジュールに提供される第3の電源電圧を調整するステップと
をさらに備える、請求項1に記載の方法。
【請求項７】
前記第1のモジュールが、中央処理装置を含み、前記第2のモジュールが、グラフィック処理ユニットを含み、前記第3のモジュールが、デジタル信号プロセッサを含む、請求項6に記載の方法。
【請求項８】
前記第2の電源電圧に対する調整が、前記第2のモジュールの1つまたは複数のトランジスタ特性を示す情報にさらに基づき、前記第2のモジュールの前記1つまたは複数のトランジスタ特性が、前記SOCの設計段階中に決定された前記第2のモジュールのトランジスタのチャネル長を含む、請求項1に記載の方法。
【請求項９】
前記第1のモジュールの前記1つまたは複数のトランジスタ特性が、トランジスタしきい値電圧を含む、請求項1に記載の方法。
【請求項１０】
ユーザプロファイルに基づいて前記第2のモジュールの前記1つまたは複数のトランジスタ特性を決定するステップをさらに備える、請求項8に記載の方法。
【請求項１１】
前記第1の電源電圧を調整することを決定するステップが、前記第1の電源電圧の電圧レベルを示す前記第1のモジュールからの電源電圧通知にさらに基づく、請求項1に記載の方法。
【請求項１２】
システムオンチップ(SOC)の異なるモジュールに提供される電圧をスケーリングするための命令を備えるコンピュータ可読記憶媒体であって、前記命令が、前記SOCのエネルギーパフォーマンスエンジンによって実行されたとき、前記エネルギーパフォーマンスエンジンに、請求項1から11のいずれか一項に記載の方法を行わせる、コンピュータ可読記憶媒体。
【請求項１３】
システムオンチップ(SOC)の第1のモジュールに関する使用履歴の第1の通知と、前記SOCの第2のモジュールに関する使用履歴の第2の通知とを生成するための手段と、
前記SOCのバッテリに関する残りのバッテリ寿命を示すバッテリ寿命通知を生成するための手段と、
第1の電源電圧と第2の電源電圧とを調整するための手段と
を備える装置であって、前記調整するための手段が、
前記第1の通知と、前記第2の通知と、前記バッテリ寿命通知とに基づいて、前記第1の電源電圧を決定することと、
前記第1のモジュールの1つまたは複数のトランジスタ特性を示す記憶された情報に基づいて、前記第1の電源電圧を増加または減少させる量を決定することであって、前記第1のモジュールの前記1つまたは複数のトランジスタ特性が、前記第1のモジュールのトランジスタのチャネル長を含む、決定することと、
前記第1の通知と、前記第2の通知と、前記バッテリ寿命通知とに基づいて、前記第2の電源電圧を調整することと
を行うように構成された、装置。
【請求項１４】
前記調整するための手段が、
前記第1の通知および前記第2の通知が、前記第1のモジュールが前記第2のモジュールよりも履歴上少ない頻度で使用されたことを示す場合、前記第1の電源電圧を低下させることを決定し、
前記第1の通知および前記第2の通知が、前記第1のモジュールが前記第2のモジュールよりも履歴上多い頻度で使用されたことを示す場合、前記第1の電源電圧を上昇させることを決定するように構成された、請求項13に記載の装置。
【請求項１５】
前記調整するための手段が、前記第1のモジュールの1つまたは複数のトランジスタ特性を示す情報を記憶するように構成された、請求項13に記載の装置。
【手続補正書】
【提出日】平成30年11月6日(2018.11.6)
【手続補正１】
【補正対象書類名】特許請求の範囲
【補正対象項目名】全文
【補正方法】変更
【補正の内容】
【特許請求の範囲】
【請求項１】
照射ビーム経路を画定する光学系を含む顕微鏡であって、
前記光学系は、
‐  配光を提供する光源と、
‐  瞳面及び焦点を有する顕微鏡対物レンズと、
‐  前記顕微鏡対物レンズの前記瞳面に共役な共役瞳面を生成するための走査光学系と、
‐  少なくとも２つの可変的に調整可能なビーム偏向ユニットと、
‐  第１及び第２ビーム偏向ユニットの各点を、互いの上に結像させるための凹面鏡と、
を備え、
前記光学系は、配光の少なくとも１つの点及び焦点の各点を互いの上に結像し、前記顕微鏡対物レンズと前記走査光学系との光学的間に第１中間像が位置し、前記第２ビーム偏向ユニットは、前記共役瞳面に配置される、
顕微鏡において、
前記照射ビーム経路が前記凹面鏡で一度だけ反射され、前記凹面鏡に起因する第１歪みと前記第１及び第２ビーム偏向ユニットに起因する前記結像の第２歪みとが、少なくとも部分的に相互に補償するように、前記凹面鏡と前記第１ビーム偏向ユニットと前記第２ビーム偏向ユニットとが配置されており、
前記凹面鏡と前記第１ビーム偏向ユニット及び前記第２ビーム偏向ユニットとは、前記第１歪み及び前記第２歪みを補償するために、前記第１ビーム偏向ユニット及び前記第２ビーム偏向ユニットのゼロ位置において、前記第１ビーム偏向ユニット上の前記照射ビーム経路の光軸の平面反射角が凹面鏡での前記光軸の平面反射角の２倍の大きさになるように、配置されている、ことを特徴とする、顕微鏡。
【請求項２】
前記照射ビーム経路内において、前記第１ビーム偏向ユニットと前記第２ビーム偏向ユニットとの光学的間には、ただ１つの凹面鏡が、特に凹面鏡のみが配置されている請求項１に記載の顕微鏡。
【請求項３】
前記凹面鏡の曲率半径は、前記凹面鏡と前記第１ビーム偏向ユニットとの間の光路長、及び、前記凹面鏡と第２ビーム偏向ユニットとの間の光路長に対応する、請求項１又は２記載の顕微鏡。
【請求項４】
前記凹面鏡は球面形状を備え、特に前記凹面鏡の曲率中心は、前記前記第１ビーム偏向ユニットと前記第２ビーム偏向ユニットとの間に位置し、さらに特に、前記第１及び第２ビーム偏向ユニットへの前記光学系の光軸の入射点を通って延在する、前記凹面鏡の中心入射点の周りの円弧上に位置し、さらに特に前記円弧の中心に位置する、請求項３記載の顕微鏡。
【請求項５】
前記光学系は、前記光源と第１ビーム偏向ユニットとの間に、非点収差を補償する光学素子、例えば円筒レンズを備える、請求項１乃至４のいずれか１項記載の顕微鏡。
【請求項６】
前記走査光学系は、前記第２ビーム偏向ユニットを介して、前記第１中間像を空間的に曲げられた第２中間像に結像し、前記第２中間像は、前記凹面鏡と前記第２ビーム偏向ユニットとの光学的間に位置し、凹面鏡は、前記凹面鏡に前記第１ビーム偏向ユニットから到達し前記第２中間像に集光される光ビームをコリメートするように配置されている、請求項１乃至４のいずれか１項記載の顕微鏡。
【請求項７】
前記第２中間像は、前記第２ビーム偏向ユニットの周りに同心状に位置する、請求項６記載の顕微鏡。
【請求項８】
前記走査光学系は、前記第１中間像からの光ビームをコリメートし、その後、前記第２ビーム偏向ユニットを介して前記凹面鏡に導き、前記凹面鏡は、コリメートされた光ビームを、前記凹面鏡と前記第１ビーム偏向ユニットとの光学的間に位置し、特に前記第２ビーム偏向ユニットの周りに同心状である、第２中間像に集光するように配置されている、請求項１乃至４のいずれか１項記載の顕微鏡。
【請求項９】
前記照射ビーム経路の光軸が、前記第１ビーム偏向ユニット上への前記光軸の入射方向と前記顕微鏡対物レンズの光軸とにわたる面から外へ出るように偏向可能であるように、前記第１ビーム偏向ユニットが回転可能である、請求項１乃至８のいずれか１項記載の顕微鏡。
【請求項１０】
前記顕微鏡は、前記照射ビーム経路内へ可逆的に移動可能な第３ビーム偏向ユニットと、可変的に調整可能な第４ビーム偏向ユニットとを有し、
前記照射ビーム経路が、前記照射ビーム経路内にある前記第３ビーム偏向ユニットの位置において、前記第３ビーム偏向ユニットを通って前記第４ビーム偏向ユニットへ向かい、そこから前記第３ビーム偏向ユニットへ戻り、前記凹面鏡を通って前記第２ビーム偏向ユニットへ向かうように経過するように、前記第３ビーム偏向ユニット及び前記第４ビーム偏向ユニットが配置されている、
請求項１乃至９のいずれか１項記載の顕微鏡。
【請求項１１】
前記光学系が、さらなる共役瞳面を生成するためのリレー光学系をさらに備え、特に、光の、所定の及び／又は可変の瞳分布を生成する手段、又は、フーリエ変換面内において所定の及び／又は可変の視野分布を生成する手段を備える、請求項１乃至１０のいずれか１項記載の顕微鏡。
【請求項１２】
前記第１ビーム偏向ユニットの回転軸は、前記第２ビーム偏向ユニットの回転軸に直交又は少なくともほぼ直交している、請求項１乃至１１のいずれか１項記載の顕微鏡。